(57)【要約】【課題】記録メディアに複数の解像度の映像が混在して記録されているような場合に、メニュー映像の解像度を決定し、決定した解像度によりメニュー映像を生成する。【解決手段】メニュー映像生成時には、記録メディア１５に記録されている映像データが、再生処理部１６により再生され、映像復号化部１７にてＭＰＥＧ２復号化を施され、メニュー映像生成部１８に出力される。記録解像度設定部１１は、記録解像度として設定できる最大解像度である１９２０×１０８０画素をメニュー映像記録解像度情報として出力し、メニュー映像生成部１８が、再生された各映像を用いて、設定された記録解像度にてメニュー映像を生成する。生成されたメニュー映像は、映像符号化部１３にてＭＰＥＧ２符号化を施され、記録処理部１４により記録メディア１５に記録される。【選択図】図１
2007281636.tif 000002
【特許請求の範囲】
【請求項１】
複数の解像度に応じた映像データを記録できる記録メディアの記録再生を行う映像記録再生装置であって、
前記映像データのメニュー映像のメニュー解像度を設定する記録解像度設定手段と、
前記メニュー解像度で前記メニュー映像を生成するメニュー映像生成手段と、
前記メニュー映像生成手段で生成された前記メニュー映像の符号化処理を行い、記録符号ストリームを生成する映像符号化手段と、
前記記録符号ストリームを前記記録メディアに記録する記録手段とを備えた映像記録再生装置。
【請求項２】
前記記録解像度設定手段は、前記複数の解像度のうち、最大の解像度を前記メニュー解像度とする請求項１記載の映像記録再生装置。
【請求項３】
前記記録解像度設定手段は、前記複数の解像度のうち、ユーザが設定した解像度を前記メニュー解像度とする請求項１記載の映像記録再生装置。
【請求項４】
前記記録メディアに記録されている映像データの記録解像度情報を再生する再生手段と、
前記再生手段による前記記録解像度情報を用いて、前記記録メディアに記録されている映像データの中で最大の記録解像度を検出する解像度検出手段とを備え、
前記記録解像度設定手段は、前記最大の記録解像度を前記メニュー解像度とする請求項１記載の映像記録再生装置。
【発明の詳細な説明】
【技術分野】
【０００１】
本発明は、記録メディアに記録されている動画映像が一覧できるメニュー映像を生成する映像記録再生装置に関するものである。
【背景技術】
【０００２】
従来より、ＤＶＤなどの光ディスクにＳＤ（Ｓｔａｎｄａｒｄ−Ｄｅｆｉｎｉｔｉｏｎ：標準解像度）動画映像を記録再生することが一般的となっている。その際、光ディスクに記録されている動画映像が一覧できるメニュー映像を同ディスクにＳＤ映像として記録しておき、それを光ディスク再生装置で読み取って表示させることにより、光ディスクに記録されている動画映像を視覚的に選択可能とする方法が提案されている（例えば、特許文献１参照）。
【０００３】
図４は、メニュー映像の画面構成の一例を示したものである。
【０００４】
図４において、メニュー映像４１は、動画映像の各チャプターの代表画面４２が対応するチャプター番号４３とともに一覧できる映像である。光ディスクに記録されたメニュー映像４１は、光ディスク再生装置で読み出され、光ディスク再生装置の利用者に対して表示される。利用者は表示されたメニュー映像から光ディスクに記録されている動画映像の代表画面と、その位置を知ることができる。
【０００５】
また、前記のＳＤ映像によるメニュー映像は、ＳＤ映像をＤＶＤに記録再生する規格の１つであるＤＶＤ−Ｖｉｄｅｏ規格（ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３：ＶＩＤＥＯ  ＳＰＥＣＩＦＩＣＡＴＩＯＮＳ）において規格化されている（非特許文献１参照）。
【０００６】
近年、地上波デジタル放送の普及により、ＨＤ（Ｈｉｇｈ−Ｄｅｆｉｎｉｔｉｏｎ：高解像度）動画映像の視聴が広がってきており、ＢＤ（Ｂｌｕ−ｒａｙ  Ｄｉｓｃ）やＨＤ  ＤＶＤなどの次世代光ディスクにおいても、ＳＤ映像とともにＨＤ映像の記録再生が規格として取り入れられようとしている。ＮＴＳＣ系としては、ＳＤ映像には７２０Ｘ４８０、ＨＤ映像には１２８０Ｘ７２０、１９２０Ｘ１０８０といった解像度の映像が存在する。そして、ＢＤなどにおいても、ＳＤ映像またはＨＤ映像によるメニュー映像を同ディスクに記録することが規格に盛り込まれようとしている。
【０００７】
上述の通り、ＢＤなどでは、１枚の光ディスクに複数の解像度の動画映像が混在して記録され、それらを一覧できるメニュー映像がいずれかの解像度の映像にて同ディスクに記録できることとなる。
【特許文献１】特開平２―１７９１７９号公報
【非特許文献１】ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３：ＶＩＤＥＯ  ＳＰＥＣＩＦＩＣＡＴＩＯＮＳ，  Ｖｅｒｓｉｏｎ  １．１４
【発明の開示】
【発明が解決しようとする課題】
【０００８】
ところで、特許文献１に記載された従来技術では、異なる解像度の動画映像が記録されている光ディスクにおいて、どのような解像度のメニュー映像を生成して記録するのかということは考慮されておらず、１枚の光ディスクに複数の解像度の動画映像が混在して記録されているような場合に、どの解像度にてメニュー映像を生成して同ディスクに記録すべきかの判断ができないという課題がある。
【０００９】
そこで本発明は、上記課題を解決するために、記録メディアに複数の解像度の動画映像が混在して記録されているような場合に、メニュー映像の解像度を決定し、決定した解像度によりメニュー映像を生成することができる映像記録再生装置を提供することを目的とする。
【課題を解決するための手段】
【００１０】
上記の目的を達成するために、本発明にかかる映像記録再生装置は、複数の解像度に応じた映像データを記録できる記録メディアの記録再生を行う映像記録再生装置であって、前記映像データのメニュー映像のメニュー解像度を設定する記録解像度設定手段と、前記メニュー解像度で前記メニュー映像を生成するメニュー映像生成手段と、前記メニュー映像生成手段で生成された前記メニュー映像の符号化処理を行い、記録符号ストリームを生成する映像符号化手段と、前記記録符号ストリームを前記記録メディアに記録する記録手段とを備えることを特徴とする。
【００１１】
また、上記の構成にかかる映像記録再生装置において、前記記録解像度設定手段は、前記複数の解像度のうち、最大の解像度を前記メニュー解像度とすることを特徴とする。
【００１２】
また、上記の構成にかかる映像記録再生装置において、前記記録解像度設定手段は、前記複数の解像度のうち、ユーザが設定した解像度を前記メニュー解像度とすることを特徴とする。
【００１３】
また、上記の構成にかかる映像記録再生装置において、前記記録メディアに記録されている映像データの記録解像度情報を再生する再生手段と、前記再生手段による前記記録解像度情報を用いて、前記記録メディアに記録されている映像データの中で最大の記録解像度を検出する解像度検出手段とを備え、前記記録解像度設定手段は、前記最大の記録解像度を前記メニュー解像度とすることを特徴とする。
【発明の効果】
【００１４】
本発明によれば、記録メディアに複数の解像度の動画映像が混在して記録されているような場合に、メニュー映像の解像度を決定し、決定した解像度によりメニュー映像を生成することができる映像記録再生装置を提供することができる。
【発明を実施するための最良の形態】
【００１５】
以下に、本発明の実施の形態について、図面を参照しながら説明する。
【００１６】
（実施の形態１）
図１は、本発明の実施の形態１における映像記録再生装置の概略構成を示すブロック図である。
【００１７】
図１において、記録解像度設定部１１は、ユーザーにより入力されるカメラ解像度設定に従って、１９２０×１０８０画素、１２８０×７２０画素、７２０×４８０画素の３種類の解像度より記録解像度を選択し、カメラ映像入力部１２にカメラ映像記録解像度情報を出力し、記録解像度として設定できる最大解像度である１９２０×１０８０画素をメニュー映像記録解像度情報としてメニュー映像生成部１８に出力する。カメラ映像入力部１２は、１９２０×１０８０画素のカメラ動画映像を入力し、記録解像度設定部１１より入力されるカメラ映像記録解像度情報に従ってカメラ動画映像の解像度を変換し、記録カメラ動画映像を映像符号化部１３に出力する。映像符号化部１３は、カメラ映像入力部１２より入力される記録カメラ動画映像、および、メニュー映像生成部１８より入力される記録メニュー映像に対してＭＰＥＧ２符号化処理を施し、記録符号ストリームを記録処理部１４に出力する。記録処理部１４は、映像符号化部１３より入力される記録符号ストリームに対して変調などの記録処理を施し、ストリームファイルを記録メディア１５に記録する。記録メディア１５は、ストリームファイルなどを記録する媒体である。再生処理部１６は、記録メディア１５より再生するストリームファイルに対して復調などの再生処理を施し、再生符号ストリームを映像復号化部１７に出力する。映像復号化部１７は、再生処理部１６より入力される再生符号ストリームに対してＭＰＥＧ２復号化処理を施し、再生映像をメニュー映像生成部１８に出力する。メニュー映像生成部１８は、映像復号化部１７より再生映像を順次入力し、記録解像度設定部１１より入力されるメニュー映像記録解像度情報に従って、再生映像のサイズを変更して、指定された解像度のメニュー映像を生成して記録メニュー映像を映像符号化部１３に出力する。
【００１８】
以上のように構成された本発明の実施の形態１の映像記録再生装置において、その動作について図面を参照しながら説明する。
【００１９】
カメラ動画映像記録時、ユーザーは記録したいカメラ解像度を１９２０×１０８０画素、１２８０×７２０画素、７２０×４８０画素から選択して設定し、記録解像度設定部１１がカメラ映像記録解像度情報を出力する。カメラ動画映像は、カメラ映像入力部１２にて記録解像度に変換され、映像符号化部１３にてＭＰＥＧ２符号化を施され、記録処理部１４により記録メディア１５に記録される。これにより、記録メディア１５には、１９２０×１０８０画素、１２８０×７２０画素、７２０×４８０画素といった複数の解像度の動画映像が混在して記録されることとなる。
【００２０】
メニュー映像生成時には、記録メディア１５に記録されている映像データが、再生処理部１６により再生され、映像復号化部１７にてＭＰＥＧ２復号化を施され、メニュー映像生成部１８に出力される。記録解像度設定部１１は、記録解像度として設定できる最大解像度である１９２０×１０８０画素をメニュー映像記録解像度情報として出力し、メニュー映像生成部１８が、再生された各映像を用いて、設定された記録解像度にて図４に示す画面構成のメニュー映像を生成する。生成されたメニュー映像は、映像符号化部１３にてＭＰＥＧ２符号化を施され、記録処理部１４により記録メディア１５に記録される。
【００２１】
以上のように、実施の形態１では、記録メディアに複数の解像度の動画映像が混在して記録されている場合に、記録解像度として設定できる最大解像度をメニュー映像の解像度として決定し、決定した解像度によりメニュー映像を生成することができる。
【００２２】
なお、実施の形態１においては、設定できる解像度は１９２０×１０８０画素、１２８０×７２０画素、７２０×４８０画素の３種類としたが、これらの解像度に限定されるものではない。
【００２３】
また、実施の形態１においては、ＭＰＥＧ２による符号化復号化処理としたが、符号化復号化の方式はＭＰＥＧ２に限定されるものではなく、Ｈ．２６４やその他の符号化復号化処理でも構わないし、それぞれのカメラ動画映像およびメニュー映像は別方式の符号化復号化でも構わない。
【００２４】
また、実施の形態１においては、ＭＰＥＧ２により復号した映像を用いてメニュー映像を生成するとしたが、記録時に記録映像を代表する静止画データを別途記録しておき、その代表静止画データを用いてメニュー映像を生成しても構わない。
【００２５】
また、実施の形態１においては、生成するメニュー映像を図４に示す画面構成としたが、どのような画面構成であってもよく、記録メディア１５からの再生映像を使用しなくても構わない。
【００２６】
（実施の形態２）
図２は、本発明の実施の形態２における映像記録再生装置の概略構成を示すブロック図である。
【００２７】
図２において、記録解像度設定部２１は、ユーザーにより入力されるカメラ解像度設定に従って、１９２０×１０８０画素、１２８０×７２０画素、７２０×４８０画素の３種類の解像度より記録解像度を選択し、カメラ映像入力部１２にカメラ映像記録解像度情報を出力し、ユーザーにより入力されるメニュー解像度設定に従って、１９２０×１０８０画素、１２８０×７２０画素、７２０×４８０画素の３種類の解像度より記録解像度を選択し、メニュー映像生成部１８にメニュー映像記録解像度情報を出力する。カメラ映像入力部１２、映像符号化部１３、記録処理部１４、記録メディア１５、再生処理部１６、映像復号化部１７、メニュー映像生成部１８に関しては、実施の形態１において説明した図１の同一番号を付与したものと同様であるので、説明を省略する。
【００２８】
以上のように構成された本発明の実施の形態２の映像記録再生装置において、その動作について図面を参照しながら説明する。
【００２９】
カメラ動画映像記録時、ユーザーは記録したいカメラ解像度を１９２０×１０８０画素、１２８０×７２０画素、７２０×４８０画素から選択して設定し、記録解像度設定部２１がカメラ映像記録解像度情報を出力する。カメラ動画映像は、カメラ映像入力部１２にて記録解像度に変換され、映像符号化部１３にてＭＰＥＧ２符号化を施され、記録処理部１４により記録メディア１５に記録される。これにより、記録メディア１５には、１９２０×１０８０画素、１２８０×７２０画素、７２０×４８０画素といった複数の解像度の動画映像が混在して記録されることとなる。
【００３０】
メニュー映像生成時には、記録メディア１５に記録されている映像データが、再生処理部１６により再生され、映像復号化部１７にてＭＰＥＧ２復号化を施され、メニュー映像生成部１８に出力される。ユーザーは生成したいメニュー解像度を１９２０×１０８０画素、１２８０×７２０画素、７２０×４８０画素から選択して設定し、記録解像度設定部２１がメニュー映像記録解像度情報を出力する。メニュー映像生成部１８が、再生された各映像を用いて、設定された記録解像度にて図４に示す画面構成のメニュー映像を生成する。生成されたメニュー映像は、映像符号化部１３にてＭＰＥＧ２符号化を施され、記録処理部１４により記録メディア１５に記録される。
【００３１】
以上のように、実施の形態２では、記録メディアに複数の解像度の動画映像が混在して記録されている場合に、記録解像度として設定できる解像度のうち、ユーザーが設定したメニュー解像度をメニュー映像の解像度として決定し、決定した解像度によりメニュー映像を生成することができる。
【００３２】
なお、実施の形態２においては、設定できる解像度は１９２０×１０８０画素、１２８０×７２０画素、７２０×４８０画素の３種類としたが、これらの解像度に限定されるものではない。
【００３３】
また、実施の形態２においては、ＭＰＥＧ２による符号化復号化処理としたが、符号化復号化の方式はＭＰＥＧ２に限定されるものではなく、Ｈ．２６４やその他の符号化復号化処理でも構わないし、それぞれのカメラ動画映像およびメニュー映像は別方式の符号化復号化でも構わない。
【００３４】
また、実施の形態２においては、ＭＰＥＧ２により復号した映像を用いてメニュー映像を生成するとしたが、記録時に記録映像を代表する静止画データを別途記録しておき、その代表静止画データを用いてメニュー映像を生成しても構わない。
【００３５】
また、実施の形態２においては、生成するメニュー映像を図４に示す画面構成としたが、どのような画面構成であってもよく、記録メディア１５からの再生映像を使用しなくても構わない。
【００３６】
（実施の形態３）
図３は、本発明の実施の形態３における映像記録再生装置の概略構成を示すブロック図である。
【００３７】
図３において、映像復号化部３１は、再生処理部１６より入力される再生符号ストリームに対してＭＰＥＧ２復号化処理を施し、再生映像をメニュー映像生成部１８に出力すると同時に、再生映像の解像度情報を解像度検出部３２に出力する。解像度検出部３２は、映像復号化部３１より入力される解像度情報より１９２０×１０８０画素か、１２８０×７２０画素か、７２０×４８０画素かの解像度を検出し、記録メディア１５に記録されている動画映像のうちの最大解像度をメニュー解像度設定として記録解像度設定部３３に出力する。記録解像度設定部３３は、ユーザーにより入力されるカメラ解像度設定に従って、１９２０×１０８０画素、１２８０×７２０画素、７２０×４８０画素の３種類の解像度より記録解像度を選択し、カメラ映像入力部１２にカメラ映像記録解像度情報を出力し、解像度検出部３２より入力されるメニュー解像度設定に従って、１９２０×１０８０画素、１２８０×７２０画素、７２０×４８０画素の３種類の解像度より記録解像度を選択し、メニュー映像生成部１８にメニュー映像記録解像度情報を出力する。カメラ映像入力部１２、映像符号化部１３、記録処理部１４、記録メディア１５、再生処理部１６、メニュー映像生成部１８に関しては、実施の形態１において説明した図１の同一番号を付与したものと同様であるので、説明を省略する。
【００３８】
以上のように構成された本発明の実施の形態３の映像記録再生装置において、その動作について図面を参照しながら説明する。
【００３９】
カメラ動画映像記録時、ユーザーは記録したいカメラ解像度を１９２０×１０８０画素、１２８０×７２０画素、７２０×４８０画素から選択して設定し、記録解像度設定部３３がカメラ映像記録解像度情報を出力する。カメラ動画映像は、カメラ映像入力部１２にて記録解像度に変換され、映像符号化部１３にてＭＰＥＧ２符号化を施され、記録処理部１４により記録メディア１５に記録される。これにより、記録メディア１５には、１９２０×１０８０画素、１２８０×７２０画素、７２０×４８０画素といった複数の解像度の動画映像が混在して記録されることとなる。
【００４０】
メニュー映像生成時には、記録メディア１５に記録されている映像データが、再生処理部１６により再生され、映像復号化部３１にてＭＰＥＧ２復号化を施され、メニュー映像生成部１８に出力される。また、再生映像の解像度情報より、解像度検出部３２が、記録メディア１５に記録されている動画映像のうちの最大解像度よりメニュー解像度を１９２０×１０８０画素、１２８０×７２０画素、７２０×４８０画素から選択して設定し、記録解像度設定部３３がメニュー映像記録解像度情報を出力する。メニュー映像生成部１８が、再生された各映像を用いて、設定された記録解像度にて図４に示す画面構成のメニュー映像を生成する。生成されたメニュー映像は、映像符号化部１３にてＭＰＥＧ２符号化を施され、記録処理部１４により記録メディア１５に記録される。
【００４１】
以上のように、実施の形態３では、記録メディアに複数の解像度の動画映像が混在して記録されている場合に、記録されている動画映像のうちの最大解像度をメニュー映像の解像度として決定し、決定した解像度によりメニュー映像を生成することができる。
【００４２】
なお、実施の形態３においては、設定できる解像度は１９２０×１０８０画素、１２８０×７２０画素、７２０×４８０画素の３種類としたが、これらの解像度に限定されるものではない。
【００４３】
また、実施の形態３においては、ＭＰＥＧ２による符号化復号化処理としたが、符号化復号化の方式はＭＰＥＧ２に限定されるものではなく、Ｈ．２６４やその他の符号化復号化処理でも構わないし、それぞれのカメラ動画映像およびメニュー映像は別方式の符号化復号化でも構わない。
【００４４】
また、実施の形態３においては、ＭＰＥＧ２により復号した映像を用いて解像度情報の検出およびメニュー映像を生成するとしたが、記録時に記録映像の解像度情報および記録映像を代表する静止画データを別途記録しておき、その解像度情報および代表静止画データを用いてメニュー映像を生成しても構わない。
【００４５】
また、実施の形態３においては、生成するメニュー映像を図４に示す画面構成としたが、どのような画面構成であってもよく、記録メディア１５からの再生映像を使用しなくても構わない。
【産業上の利用可能性】
【００４６】
本発明は、記録メディアに記録されている動画映像が一覧できるメニュー映像を生成する映像記録再生装置として、利用可能である。
【図面の簡単な説明】
【００４７】
【図１】本発明の実施の形態１における映像記録再生装置の構成を示すブロック図
【図２】本発明の実施の形態２における映像記録再生装置の構成を示すブロック図
【図３】本発明の実施の形態３における映像記録再生装置の構成を示すブロック図
【図４】メニュー映像の画面構成の一例を示す図
【符号の説明】
【００４８】
１１  記録解像度設定部
１２  カメラ映像入力部
１３  映像符号化部
１４  記録処理部
１５  記録メディア
１６  再生処理部
１７  映像復号化部
１８  メニュー映像生成部
２１  記録解像度設定部
３１  映像復号化部
３２  解像度検出部
３３  記録解像度設定部
４１  メニュー映像
４２  代表画面
４３  チャプター番号
【図１】
2007281636.tif 000003
【図２】
2007281636.tif 000004
【図３】
2007281636.tif 000005
【図４】
2007281636.tif 000006